(57)【要約】  【課題】人体に安全でオゾン臭の低い低濃度のオゾン水またはオゾンミストまたはオゾンガスを簡便な構造で安定的に生成するオゾン水またはオゾンミストまたはオゾンガスの生成装置を提供する。  【解決手段】水を貯える貯水槽２１０と、貯水槽２１０の近傍に配設されたオゾン発生部２３０と、毛細管作用を利用し、貯水槽２１０の水を貯水槽２１０外へ送液する送液手段２２０とを有し、オゾン発生部２３０は、送液手段２２０内に構成されていることで、人体に安全で、且つオゾン臭の低い低濃度のオゾン水またはオゾンミストまたはオゾンガスを生成することができ、人体への安全性を確保した上で、除菌、脱臭及び有害物質の除去を行うことができる。【選択図】図１
2006035009.tif 000002
【特許請求の範囲】
【請求項１】
貯留水を貯える貯水槽と、一端が前記貯留水中に開口し、毛細管作用を利用して前記貯留水を送液する送液手段とを有し、酸素を分解してオゾンを発生させるオゾン発生部を前記送液手段内に構成したオゾン水の生成装置。
【請求項２】
貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に配設された加湿手段とを有し、前記加湿手段が前記送液手段内のオゾン水を霧化するオゾンミストの生成装置。
【請求項３】
貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に強制対流を与える送風手段とを有し、前記送液手段内のオゾン水が前記送風手段によって蒸散してオゾンガスが発生するオゾンガスの生成装置。
【請求項４】
前記オゾン発生部は、前記送液手段内の水中の溶存酸素を分解してオゾンを発生させることによりオゾン水を生成する請求項１から３のいずれか一項に記載のオゾン水の生成装置またはオゾンミストの生成装置またはオゾンガスの生成装置。
【請求項５】
前記オゾン発生部のオゾン発生方式は、放電方式または紫外線方式である請求項１から４のいずれか一項に記載のオゾン水の生成装置またはオゾンミストの生成装置またはオゾンガスの生成装置。
【請求項６】
前記送液手段は、繊維材料または多孔質セラミックで構成されている請求項１から４のいずれか一項に記載のオゾン水の生成装置またはオゾンミストの生成装置またはオゾンガスの生成装置。
【請求項７】
前記加湿手段は、超音波加湿器である請求項２に記載のオゾンミストの生成装置。
【請求項８】
前記送液手段は一端が前記貯留水中に開口するとともに他端が前記貯水槽の外部に開口したものである請求項１から７のいずれか一項に記載のオゾン水の生成装置またはオゾンミストの生成装置またはオゾンガスの生成装置。
【発明の詳細な説明】
【技術分野】
【０００１】
本発明はオゾン水、オゾンミスト、オゾンガスを除菌、脱臭、有害物質除去に利用したオゾン水の生成装置とオゾンミストの生成装置とオゾンガスの生成装置に関するものがある。
【背景技術】
【０００２】
従来、この種のオゾン水の生成装置は、放電方式または、紫外線方式のオゾン発生体により、空気中の酸素を分解して生成したオゾンガスを水に混合して、オゾン水を生成しているものである（例えば、特許文献１参照）。また、電解槽中の貯留水を電気分解してオゾン水を生成しているものである。
【０００３】
図６は特許文献１に記載された従来のオゾン水の生成装置を示すものである。図６に示すように、沿面放電型のセラミックオゾナイザー（図示せず）を用いたオゾン発生部２と、オゾン水をつくるオゾン溶解部５と原料水を取入れる原料水入口部１０とオゾン水出口部１１と前記原料水入り口部１０とオゾン水出口部１１を連通する原料水導入管１８とオゾン水の溶存オゾンを除くためのオゾン除去部１４４とから構成されている。
【０００４】
以上のように構成されたオゾン水の生成装置について、以下、その動作を説明する。
【０００５】
まず、沿面放電型のセラミックオゾナイザーを用いたオゾン発生部２を用いて空気中の酸素からオゾンを生成する。一方，原料水は原料水入口部１０より取入れ原料水導入管１８を介してオゾン溶解部５に導入される。オゾン溶解部５では原料水中に発生したオゾンガスを細かい泡として添加しオゾンを溶解してオゾン水を生成する。またこのオゾン水はオゾン除去部１４４の活性炭層を通してその溶存オゾンの大部分を除去し、極めて低濃度のオゾン水を生成する。
【０００６】
さらに、この発明で、オゾンガスを直接装置外に取り出せばオゾンガスを生成することも同時に可能である。
【特許文献１】特開平６−１４４８０６号公報
【発明の開示】
【発明が解決しようとする課題】
【０００７】
しかしながら、上記従来の構成では、オゾンガスを細かい泡にして水に添加して、オゾンを溶解し、オゾン水を作る方式のため、発生オゾンガスの大半が水中に十分に溶解しきれずに、残存オゾンガスとなり、使用者が人体に危険なオゾン濃度にさらされるという課題を有していた。また、空気清浄機、脱臭器、冷蔵庫などオゾンを利用した家庭電化製品では、オゾン水やオゾンガスの濃度はオゾン臭がしないレベルの低濃度が望まれる。この装置で生成したオゾン水を人体に安全で且つオゾン臭のしない低濃度のオゾン水にするためには、オゾン除去部でオゾン水中の溶存オゾンを再度除去しなければならないという課題を有していた。同じく、残存ガスを人体に安全で且つオゾン臭のしないレベルの低濃度にするためには、新たにオゾン分解手段を設けなければならず、構造が複雑になるという課題を有していた。
【０００８】
本発明は、上記従来の課題を解決するもので、人体に安全で且つオゾン臭の低い低濃度のオゾン水とオゾンミストとオゾンガスの生成を簡便な構造で行うことのできる生成装置を提供することを目的とする。
【０００９】
また、上記従来の構成では発生するオゾンガスは高濃度のため、オゾン臭のレベルが低い低濃度のオゾンガスを安定的に供給することができないという課題を有していた。
【００１０】
本発明は、上記従来の課題を解決するもので、オゾン臭の低い低濃度のオゾンガスを安定的に供給することを目的とする。
【課題を解決するための手段】
【００１１】
上記課題を解決するために、本発明のオゾン水の生成装置は、貯留水を貯える貯水槽と、一端が前記貯留水中に開口し、他端が前記貯留水の外部に連通するとともに毛細管作用を利用して前記貯水槽の水を前記貯水槽外へ送液する送液手段とを有し、酸素を分解してオゾンを発生させるオゾン発生部を前記送液手段内に構成したものである。
【００１２】
これによって、送液手段内の水中の溶存酸素を直接水中で分解することで、発生したオゾン水は微量のオゾンを含む低濃度のオゾン水とすることができる。
【００１３】
また、本発明のオゾンミストの生成装置は、貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に配設された加湿手段とを有し、前記加湿手段が前記送液手段内のオゾン水を霧化するものである。
【００１４】
これによって、送液手段内の水中の溶存酸素を直接水中で分解することで、発生したオゾン水は微量のオゾンを含む低濃度のオゾン水とすることができ、この低濃度のオゾン水を霧化することで、低濃度のオゾンミストを生成することができる。
【００１５】
また、本発明のオゾンガスの生成装置は、貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に強制対流を与える送風手段とを有し、前記送液手段内のオゾン水が前記送風手段によって蒸散してオゾンガスが発生するものである。
【００１６】
これによって、送液手段内の水中の溶存酸素を直接水中で分解することで、発生したオゾン水は微量のオゾンを含む低濃度のオゾン水とすることができ、この微量のオゾンを含む低濃度のオゾン水から極微量のオゾンガスが安定して発生させることができる。
【発明の効果】
【００１７】
本発明のオゾン水の生成装置は、簡便な構造で低濃度のオゾン水を発生させることで、人体に安全で且つオゾン臭の低いオゾン水が生成できるので、人体への安全性を確保した上で、除菌、脱臭及び有害物質の除去を行うことができる。
【００１８】
また、本発明のオゾンミストの生成装置は、簡便な構造で低濃度のオゾン水を霧化することで、低濃度のオゾンミストを生成することができ、人体に安全で、且つオゾン臭の低い低濃度のオゾンミストを生成することができ、人体への安全性を確保した上で、除菌、脱臭及び有害物質の除去を行うことができる。
【００１９】
また、本発明のオゾンガスの生成装置は材料コストを低く抑えられ、かつ低濃度のオゾン水とオゾンガスを安定的に同時に生成することができ、人体への安全性を確保した上で、除菌、脱臭及び有害物質の除去を行うことができる。
【発明を実施するための最良の形態】
【００２０】
請求項１に記載の発明は、貯留水を貯える貯水槽と、一端が前記貯留水中に開口し、他端が前記貯留水の外部に連通するとともに毛細管作用を利用して前記貯水槽の水を前記貯水槽外へ送液する送液手段とを有し、酸素を分解してオゾンを発生させるオゾン発生部を前記送液手段内に構成したことにより、前記オゾン発生部と大気の接触が大幅に抑制されることで、発生した微量のオゾンを含むオゾン水を前記送液手段内に生成することとなり、特殊材料を必要としない簡便な構造で、人体に安全で且つオゾン臭の低い低濃度のオゾン水を生成することができる。
【００２１】
請求項２に記載の発明は、貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に配設された加湿手段とを有し、前記加湿手段が前記送液手段内のオゾン水を霧化することにより、オゾンミストを生成することとなり、特殊材料を必要としない簡便な構造で、人体に安全で且つオゾン臭の低い低濃度のオゾンミストを生成することができる。
【００２２】
請求項３に記載の発明は、貯留水を貯える貯水槽と、一端が前記貯留水中に開口し、他端が前記貯留水の外部に連通するとともに毛細管作用を利用して前記貯水槽の水を前記貯水槽外へ送液する送液手段と、前記送液手段内に配設され酸素を分解してオゾンを発生させるオゾン発生部と、前記送液手段の前記貯留水外部に連通している下流端近傍に強制対流を与える送風手段とを有し、前記送液手段内のオゾン水が前記送風手段によって蒸散してオゾンガスが発生することにより、オゾンガスが発生することとなり、特殊材料を必要としない簡便な構造で、人体に安全で且つオゾン臭の低い低濃度のオゾンガスを安定的に生成することができる。
【００２３】
請求項４に記載の発明は、請求項１から３の発明に加えて、前記オゾン発生部は、前記送液手段内の水中の溶存酸素を分解してオゾンを発生させることによりオゾン水を生成することにより、大気中の酸素の分解が略０となり、人体に安全で且つオゾン臭の低い低濃度のオゾンガスを生成することができる。
【００２４】
請求項５に記載の発明は、請求項１から４の発明に加えて、前記オゾン発生部のオゾン発生方式は、放電方式または紫外線方式であることにより、水中の溶存酸素を分解してオゾンを生成することとなり、簡便な構造で人体に安全な低濃度のオゾン水を生成することができる。
【００２５】
請求項６に記載の発明は、請求項１から４の発明に加えて、前記送液手段は、繊維材料または多孔質セラミックで構成することにより、毛細管作用が生じてオゾン発生体に常時水分が供給されることとなり、ポンプ等の手段を用いず簡便な構造で人体に安全な低濃度のオゾン水を生成することができる。
【００２６】
請求項７に記載の発明は、請求項２の発明に加えて、前記加湿手段は、超音波加湿器であることにより、前記送液手段の下流端内のオゾン水を霧化することとなり、簡便な構造で人体に安全な低濃度のオゾンミストを生成することができる。
【００２７】
請求項８に記載の発明は、請求項１から７の発明に加えて、前記送液手段は一端が前記貯留水中に開口するとともに他端が前記貯水槽の外部に開口したものであり、これによって、生成されたオゾン水もしくはオゾンミストもしくはオゾンガスを必要な箇所に直接供給することができ、より確実に除菌、脱臭、有害物質の除去等を行うことができる。
【００２８】
以下、本発明の実施の形態について、図面を参照しながら説明するが、従来例または先に説明した実施の形態と同一構成については同一符号を付して、その詳細な説明は省略する。
【００２９】
なお、この実施の形態によってこの発明が限定されるものではない。
【００３０】
（実施の形態１）
図１は本発明の実施の形態１におけるオゾン水とオゾンミストの生成装置の側断面図である。図２は同実施の形態のオゾン水の生成装置の要部構成図である。
【００３１】
図１、図２において、オゾン水とオゾンミストの生成装置２００には、機器収納区画２０１と、送風区画２０２が区画形成されている。
【００３２】
機器収納区画２０１内には、主に貯水槽２１０と送液手段２２０と、オゾン発生部２３０が配設されている。また、送風区画２０２内には加湿手段２４０が配設されている。
【００３３】
貯水槽２１０は、貯留水を貯留するための槽である。貯水槽２１０には、外部から給水を行うための給水管２１１が構成されており、給水管２１１の途中には開閉弁２１２が構成されている。また、貯水槽２１０の内部には、水位を検出するフロートスイッチ２１３が具備されており、貯水槽２１０の上部には貫通部２１４が形成されている。
【００３４】
送液手段２２０は、貯水槽２１０の水を送風区画へ導くための送液部材であり、毛細管作用により送液することを特徴としており、第一送液部２２１と、第二送液部２２２と、第３送液部２２３とから構成されている。
【００３５】
第一送液部２２１は、水の流れの上流に位置し、構成上その下端２２１ａは貫通部２１４を介して貯水槽２１０の下部近傍に位置する。第一送液部２２１の材料としては、フレキシブルに形状が構成できる繊維材料を用いることが望ましい。
【００３６】
第二送液部２２２は、多孔質セラミックを用いることが好ましく、形状としては中空の筒型形状とした。ここで、第二送液部２２２の一端２２２ａは、第一送液部２２１の上端２２１ｂと接続されており、第二送液部２２２の他端２２２ｂは、第３送液部２２３の上流端２２３ａと接続されている。
【００３７】
第三送液部２２３は、貫通部２０３を介して送風区画２０２に達しており、第三送液部２２３の材料としては、フレキシブルに形状が構成できる繊維材料を用いることが望ましい。
【００３８】
オゾン発生部２３０は、ランプ管２３１、ランプ管２３１の両端に電極２３２とを配したＵ次型の紫外線ランプを備えている。ここで、ランプ管２３１は純度の高い石英ガラスを材料としており、ランプ管２３１内には低圧の水銀蒸気とアルゴン、キセノン等の不活性ガスが封入されている。さらに、オゾン発生部２３０は、第二送液部２２２の中空部内壁に、ランプ管２３１外壁が密接するように挿入されており、ランプ管２３１の外壁と、第二送液部２２２の中空部の内壁との間には微小な隙間２３３が形成されている。さらに、隙間２３３の開放端は、シール部材２３４で封止されている。
【００３９】
加湿手段２４０は、送風区画２０２内に構成された超音波加湿器であり、超音波加湿器の振動子には、第三送液部２２３の下流端２２３ｂが接続されている。
【００４０】
制御部２５０は、開閉弁２１２、フロートスイッチ２１３、オゾン発生部２３０、加湿手段２４０の運転を制御する。
【００４１】
以上のように構成されたオゾン水とオゾンミストの生成装置について、以下その動作、作用を説明する。
【００４２】
まず、貯水槽２１０の水は、フロートスイッチ２１３により開閉弁２１２が開閉し、一定水位になるように設定されている。ここで、貯水槽２１０の下部近傍には、第一送液部２２１の下端２２１ａが配設されており、毛細管作用により貯水槽２１０の水は、第二送液部２２２へ送液される。
【００４３】
次に、第二送液部２２２では、第一送液部２２１から送液された水が他孔質セラミックで形成された第二送液部２２２全体に満たされることで、微小な隙間２３３に水が充満することになる。
【００４４】
さらに、オゾン発生部２３０に通電されると、ランプ管２３０ａより紫外線が発生する。ランプ管２３０ａより発生した紫外線は、オゾン発生部２３０の周りに充満された水中の溶存酸素を解離してオゾンを生成し、水中に溶存するとともに、酸素原子と水分子の反応によりＯＨラジカルを生成する。
【００４５】
次に、オゾン発生部２３０近傍で生成されたオゾン水は、第三送液部２２３の毛細管作用により、送風区画２０２に配設された下流端２２３ｂへ送液される。ここで、超音波加湿器である加湿手段２４０が運転されると、加振子に接続された下流端２２３ｂに含まれるオゾン水が霧化されて、送風区画２０２内に拡散することとなる。
【００４６】
以上のように本実施の形態では、水を貯える貯水槽２１０と、貯水槽２１０の近傍に配設されたオゾン発生部２３０と、毛細管作用を利用し、貯水槽２１０の水を貯水槽２１０外へ送液する送液手段２２０とを有し、オゾン発生部２３０は、送液手段２２０内に構成されていることにより、オゾン発生部２３０と大気の接触が大幅に抑制されることで、発生した微量のオゾンを含むオゾン水を送液手段２２０内に生成することとなり、特殊材料を必要としない簡便な構造で、人体に安全で且つオゾン臭の低い低濃度のオゾン水を生成することができる。
【００４７】
さらに、本実施の形態では、送液手段２２０内のオゾン水を加湿手段２４０により霧化して拡散させるので、人体に安全で且つオゾン臭の低い低濃度のオゾンミストを生成することができる。
【００４８】
さらに、第二送液部２２２の中空部内壁に、ランプ管２３０外壁が密接すように挿入され、この微小な隙間２３３に充満した水中の溶存酸素を紫外線で解離してオゾンを生成することで、大気中の酸素と紫外線の反応を防止することができるので、人体に安全で且つオゾン臭の低い低濃度のオゾン水を生成することができる。
【００４９】
なお、本実施例においては、オゾン発生部２３０として、紫外線ランプを用いたが、放電部を耐水処理した放電式のオゾン生成器を用いても同様の効果が期待できる。
【００５０】
（実施の形態２）
図３は本発明の実施の形態２のオゾン水とオゾンガスの生成装置の側断面図である。図４は同実施の形態のオゾン水とオゾンガスの生成装置の要部構成図である。図５は水中放電および空中放電によるオゾン発生量の温度特性図である。
【００５１】
図３、図４において、オゾン水とオゾンガスの生成装置３００には、機器収納区画２０１と送風区画２０２が区画形成されている。
【００５２】
送液手段３１０は、貯水槽２１０の水を送風区画へ導くための送液部材であり、毛細管作用により送液することを特徴としており、第一送液部３１１と、第二送液部３１２と、第３送液部３１３とから構成されている。
【００５３】
第一送液部３１１は、水の流れの上流に位置し、構成上その下端３１１ａは貫通部２１４を介して貯水槽２１０の下部近傍に位置する。第一送液部３１１の材料としては、フレキシブルに形状が構成できる繊維材料を用いることが望ましい。
【００５４】
第二送液部３１２は、多孔質セラミックを用いることが好ましく、形状としては中空の筒型形状とした。ここで、第二送液部３１２の一端３１２ａは、第一送液部２２１の上端３１１ｂと接続されており、第二送液部３１２の他端３１２ｂは、第３送液部３１３の上流端３１３ａと接続されている。
【００５５】
第三送液部３１３は、貫通部２０３を介して送風区画２０２に達しており、第三送液部３１３の材料としては、フレキシブルに形状が構成できる繊維材料を用いることが望ましい。
【００５６】
オゾン発生部３２０は、高電圧放電方式のオゾン発生体であり、電極部３２１と電源部３２２から構成される。ここで、電極部３２１は電極の周辺の耐水性を高めた仕様とすることが好ましく、電極部３２１と、第二送液部３１２の中空部の内壁との間には微小な隙間３２３が形成されている。さらに、隙間３２３の開放端は、シール部材３２４で封止されている。
【００５７】
電源部３２２は、オゾン発生のための高電圧発生電源であり、電極部３２１が内蔵された第二送液部３１２の近傍に配設されている。
【００５８】
送風手段３３０は、送風区画２０２内に構成された送風機であり、送風手段３３０の運転により、送風区画２０２内に達した第三送液部３１３の周辺に強制対流が生じるように構成されている。
【００５９】
以上のように構成されたオゾン水とオゾンガスの生成装置について、以下その動作、作用を説明する。
【００６０】
まず、貯水槽２１０の下部近傍には、第一送液部３１１の下端３１１ａが配設されており、毛細管作用により貯水槽２１０の水は、第二送液部３１２へ送液される。
【００６１】
次に、第二送液部３１２では、第一送液部３１１から送液された水が他孔質セラミックで形成された第二送液部２２２全体に満たされることで、微小な隙間３２３に水が充満することになる。
【００６２】
さらに、オゾン発生部３２０に通電されると、電極部３２１からの放電によって、微小な隙間３２３内の水中の溶存酸素が電子との衝突により酸素原子に解離される。また、酸素原子は溶存酸素分子と結合してオゾンが発生するとともに、水分子と反応してＯＨラジカルを同時に生成する。さらに、発生したオゾンは隙間３２３内の水に溶存し、オゾン水が生成される。
【００６３】
次に、オゾン発生部３２０近傍で生成されたオゾン水は、第三送液部３１３の毛細管作用により、送風区画２０２に配設された下流端３１３ｂへ送液される。ここで、送風手段３３０の運転により生じた強制対流により、オゾン水の蒸散が促進される。このとき、水中に溶存したオゾンはオゾンガスとして送風区画２０２内に拡散することとなる。
【００６４】
次に図５は一定空間において、本発明の実施の形態２における水中溶存酸素からオゾンを発生する水中放電と従来の空気中の酸素からオゾンを発生する空中放電のオゾン発生量に与える温度の影響を示したものである。従来の空中放電は周囲温度変動の影響が大きく、周囲温度が低いとオゾン発生量が多くなり、逆に周囲温度が高くなるとオゾン発生量が少なくなる特性をもつ。一方、本発明の水中放電は、オゾンガスをオゾン水からの遊離により生成するため、周囲の温度変動の影響が空気に比べ小さく、周囲温度変動によるオゾン発生量の変動幅も小さくなる。したがって、オゾン水からオゾンガスを発生する本発明の実施の形態の方がより安定してオゾンガスを生成することができる。
【００６５】
以上のように本実施の形態では、水を貯える貯水槽２１０と、毛細管作用を利用し、貯水槽２１０の水を貯水槽２１０外へ送液する送液手段３１０と、送液手段３１０内に配設されたオゾン発生部３２０と、送液手段３１０の下流端３１３ｂ近傍に強制対流を与える送風手段３３０とを有し、送液手段３１０内の水中の溶存酸素を分解して得られるオゾン水を送風区画２０２内で再びガス化させるので、通常の空中放電によるオゾンガスの発生量は周囲温度変動の影響が大きく、安定して発生するのが困難であるのに対して、本実施の形態では、周囲の温度変動の影響が、空気に比べ小さいことから、発生するオゾンガス量への影響が小さくなり、人体に安全な低濃度のオゾンガスを安定的に供給することができる。
【産業上の利用可能性】
【００６６】
以上のように、本発明にかかるオゾン水とオゾンミストとオゾンガスの発生装置は、低濃度のオゾン水と低濃度のオゾンミストと低濃度のオゾンガスを安定的に生成し、高性能な脱臭、除菌、有害物質の除去を行なうことができるため、家庭用冷蔵庫、業務用冷蔵庫、食品洗浄器、食器洗浄器、医療器具洗浄器等の用途にも適用できる。
【図面の簡単な説明】
【００６７】
【図１】本発明の実施の形態１におけるオゾン水とオゾンミストの生成装置の側断面図
【図２】本発明の実施の形態１におけるオゾン水の生成装置の要部構成図
【図３】本発明の実施の形態２におけるオゾン水とオゾンガスの生成装置の側断面図
【図４】本発明の実施の形態２におけるオゾン水とオゾンガスの生成装置の要部構成図
【図５】本発明の実施の形態２における水中放電および空中放電によるオゾン発生量の温度特性図
【図６】従来のオゾン水の生成装置を示す図
【符号の説明】
【００６８】
２００  オゾン水とオゾンミストの生成装置
２１０  貯水槽
２２０，３１０  送液手段
２３０  オゾン発生部（紫外線方式）
２４０  加湿手段
３００  オゾン水とオゾンガスの生成装置
３２０  オゾン発生部（放電方式）
３３０  送風手段
【図１】
2006035009.tif 000003
【図２】
2006035009.tif 000004
【図３】
2006035009.tif 000005
【図４】
2006035009.tif 000006
【図５】
2006035009.tif 000007
【図６】
2006035009.tif 000008